(57)【要約】  通信装置（１１０）は、光を受けて発電し、発電された電気を用いて、通信データを無線で送信し、空調機（１５０）は、空気の調和を行う空調機本体を備え、空調機本体の運転状態が、空調機本体により空気の調和が行われていない状態である停止となっている際に、予め定められた移行時間、通信装置（１１０）から通信データが送信されない場合に、空調機本体の運転状態を、空調機本体により空気の調和を行い、空調機（１５０）が設置されている空間における温度が予め定められた限界温度を超えないようにする状態であるセットバックにする。
2020170415.tif 000002
【特許請求の範囲】
【請求項１】
通信装置と、空調機と、を備える空調システムであって、
前記通信装置は、
光を受けて発電する発電部と、
前記発電部により発電された電気の供給を受けて、通信データを無線で送信する無線送信部と、を備え、
前記空調機は、
空気の調和を行う空調機本体と、
前記空調機本体を制御する運転制御部と、を備え、
前記運転制御部は、前記空調機本体の運転状態が、前記空調機本体により空気の調和が行われていない状態である停止となっている際に、予め定められた移行時間、前記無線送信部から前記通信データが送信されない場合に、前記運転状態を、前記空調機本体により空気の調和を行い、前記空調機が設置されている空間における温度が予め定められた限界温度を超えないようにする状態であるセットバックにすること
を特徴とする空調システム。
【請求項２】
前記限界温度は、上限温度及び下限温度の少なくとも１つであり、
前記上限温度は、前記空調機本体が冷房を行う必要のある温度であり、
前記下限温度は、前記空調機本体が暖房を行う必要のある温度であること、
を特徴とする請求項１に記載の空調システム。
【請求項３】
前記運転制御部は、前記運転状態が前記セットバックとなっている際に、予め定められた復帰時間内に、前記無線送信部から複数の前記通信データが送信された場合に、前記運転状態を前記停止にすること
を特徴とする請求項１又は２に記載の空調システム。
【請求項４】
管理装置をさらに備え、
前記管理装置は、
前記通信データを無線で受信する無線受信部と、
前記空調機と通信するユニット通信部と、
前記運転状態が前記停止となっている際に、前記無線受信部が、前記移行時間、前記通信データを受信しない場合に、前記ユニット通信部を介して、前記運転状態を前記セットバックにする運転指令を前記空調機に送る管理制御部と、を備え、
前記空調機は、前記管理装置と通信する装置通信部をさらに備え、
前記運転制御部は、前記装置通信部で受信された前記運転指令に従って、前記運転状態を前記セットバックにすること
を特徴とする請求項１から３の何れか一項に記載の空調システム。
【請求項５】
管理装置をさらに備え、
前記通信データは、前記通信装置を識別するための識別情報である通信装置識別情報を含み、
前記管理装置は、
前記通信データを無線で受信する無線受信部と、
前記空調機と通信するユニット通信部と、
前記無線受信部が受信した前記通信データに含まれている前記通信装置識別情報が、予め定められている受信可能識別情報と一致するか否かを判断し、前記運転状態が前記停止となっている際に、前記無線受信部が、前記移行時間、前記受信可能識別情報と一致する前記通信装置識別情報を含んでいる前記通信データを受信しない場合に、前記ユニット通信部を介して、前記運転状態を前記セットバックにする運転指令を前記空調機に送る管理制御部と、を備え、
前記空調機は、前記管理装置と通信する装置通信部をさらに備え、
前記運転制御部は、前記装置通信部で受信された前記運転指令に従って、前記運転状態を前記セットバックにすること
を特徴とする請求項１から３の何れか一項に記載の空調システム。
【請求項６】
前記通信装置は、物理量を検出する検出部をさらに備え、
前記通信データは、前記検出部で検出された前記物理量を示す情報を含み、
前記管理制御部は、前記無線受信部で受信された前記通信データに含まれている前記情報を、前記ユニット通信部を介して前記空調機に送り、
前記運転制御部は、前記装置通信部で受信された前記情報で示される前記物理量に応じて、前記空調機本体を制御すること
を特徴とする請求項４又は５に記載の空調システム。
【請求項７】
前記物理量は、温度であること
を特徴とする請求項６に記載の空調システム。
【請求項８】
管理装置をさらに備え、
前記管理装置は、
前記空調機と通信するユニット通信部と、
前記空調機を管理する管理制御部と、を備え、
前記空調機は、
前記通信データを無線で受信する無線受信部と、
前記管理装置と通信する装置通信部と、をさらに備え、
前記装置通信部は、前記無線受信部で受信された前記通信データを、前記管理装置に送信し、
前記管理制御部は、前記運転状態が前記停止となっている際に、前記ユニット通信部が、前記移行時間、前記通信データを受信しない場合に、前記ユニット通信部を介して、前記運転状態を前記セットバックにする運転指令を前記空調機に送り、
前記運転制御部は、前記装置通信部で受信された前記運転指令に従って、前記運転状態を前記セットバックにすること
を特徴とする請求項１から３の何れか一項に記載の空調システム。
【請求項９】
前記通信装置は、物理量を検出する検出部をさらに備え、
前記通信データは、前記検出部で検出された前記物理量を示す情報を含み、
前記運転制御部は、前記無線受信部で受信された前記通信データに含まれている前記情報で示される前記物理量に応じて、前記空調機本体を制御すること
を特徴とする請求項８に記載の空調システム。
【請求項１０】
前記物理量は、温度であること
を特徴とする請求項９に記載の空調システム。
【請求項１１】
管理装置をさらに備え、
前記通信データは、前記通信装置を識別するための識別情報である通信装置識別情報を含み、
前記管理装置は、
前記空調機と通信するユニット通信部と、
前記空調機を管理する管理制御部と、を備え、
前記空調機は、
前記通信データを無線で受信する無線受信部と、
前記管理装置と通信する装置通信部と、をさらに備え、
前記装置通信部は、前記無線受信部で受信された通信データを、前記管理装置に送信し、
前記管理制御部は、前記無線受信部が受信した前記通信データに含まれている前記通信装置識別情報が、予め定められている受信可能識別情報と一致するか否かを判断し、前記運転状態が前記停止となっている際に、前記無線受信部が、前記移行時間、前記受信可能識別情報と一致する前記通信装置識別情報を含んでいる前記通信データを受信しない場合に、前記ユニット通信部を介して、前記運転状態を前記セットバックにする運転指令を前記空調機に送り、
前記運転制御部は、前記装置通信部で受信された前記運転指令に従って、前記運転状態を前記セットバックにすること
を特徴とする請求項１から３の何れか一項に記載の空調システム。
【請求項１２】
前記通信装置は、
前記発電部により発電された電気を蓄積する蓄電部と、
前記蓄電部に蓄積された電気量が閾値以上となった場合に、前記無線送信部に前記通信データを送信させる通信制御部と、をさらに備えること
を特徴とする請求項１から１１の何れか一項に記載の空調システム。
【請求項１３】
空調機と通信するユニット通信部と、
光を受けて発電し、発電された電気により通信データを無線で送信する通信装置からの前記通信データを無線で受信する無線受信部と、
前記空調機の運転状態が、前記空調機により空気の調和が行われていない状態である停止となっている際に、予め定められた移行時間、前記無線受信部が前記通信データを受信しない場合に、前記ユニット通信部を介して、前記運転状態を、前記空調機により空気の調和を行い、前記空調機が設置されている空間における温度が予め定められた限界温度を超えないようにする状態であるセットバックにする運転指令を前記空調機に送る管理制御部と、を備えること
を特徴とする管理装置。
【発明の詳細な説明】
【技術分野】
【０００１】
本発明は、空調システム及び管理装置に関する。
【背景技術】
【０００２】
照明と空調機とを連動させる技術が望まれている。
しかしながら、照明と空調機とを連動させることは、容易ではない。通信のプロトコルは、メーカーによってばらばらであるとともに、どの位置の照明と、どの位置の空調機とを連動させるのかを設定するのは困難な作業となっている。【０００３】
これに対して、例えば、照明が点灯されたことを示す点等情報又は消灯されたことを示す消灯情報を、直接、空調機に伝達することにより、点灯情報又は消灯情報に基づいて空調機の運転開始の要否を判断する技術がある（例えば、特許文献１を参照）。
【先行技術文献】
【特許文献】
【０００４】
【特許文献１】特開２０１０−２４３１１２号公報
【発明の概要】
【発明が解決しようとする課題】
【０００５】
しかし、従来の技術では、空調機に対して、点灯情報又は点等情報を伝達する必要があり、追加の配線工事等が必要となる。【０００６】
そこで、本発明の一又は複数の態様は、照明と空調機とを容易に連動させることを目的とする。
【課題を解決するための手段】
【０００７】
本発明の一態様に係る空調システムは、通信装置と、空調機と、を備える空調システムであって、前記通信装置は、光を受けて発電する発電部と、前記発電部により発電された電気の供給を受けて、通信データを無線で送信する無線送信部と、を備え、前記空調機は、空気の調和を行う空調機本体と、前記空調機本体を制御する運転制御部と、を備え、前記運転制御部は、前記空調機本体の運転状態が、前記空調機本体により空気の調和が行われていない状態である停止となっている際に、予め定められた移行時間、前記無線送信部から前記通信データが送信されない場合に、前記運転状態を、前記空調機本体により空気の調和を行い、前記空調機が設置されている空間における温度が予め定められた限界温度を超えないようにする状態であるセットバックにすることを特徴とする。【０００８】
本発明の一態様に係る管理装置は、空調機と通信するユニット通信部と、光を受けて発電し、発電された電気により通信データを無線で送信する通信装置からの前記通信データを無線で受信する無線受信部と、前記空調機の運転状態が、前記空調機により空気の調和が行われていない状態である停止となっている際に、予め定められた移行時間、前記無線受信部が前記通信データを受信しない場合に、前記ユニット通信部を介して、前記運転状態を、前記空調機により空気の調和を行い、前記空調機が設置されている空間における温度が予め定められた限界温度を超えないようにする状態であるセットバックにする運転指令を前記空調機に送る管理制御部と、を備えることを特徴とする。
【発明の効果】
【０００９】
本発明の一又は複数の態様によれば、照明と空調機とを容易に連動させることができる。
【図面の簡単な説明】
【００１０】
【図１】実施の形態１及び２に係る空調システムの構成を概略的に示すブロック図である。
【図２】空調システムの設置例を示す概略図である。
【図３】実施の形態１における通信装置の構成を概略的に示すブロック図である。
【図４】（Ａ）及び（Ｂ）は、ハードウェア構成例を示すブロック図である。
【図５】実施の形態１及び２における管理装置の構成を概略的に示すブロック図である。
【図６】実施の形態１における空調機の構成を概略的に示すブロック図である。
【図７】実施の形態１において、スリープモード及び省電力モードにおける通信装置の動作を示すフローチャートである。
【図８】実施の形態１において、通常モードでの通信装置の動作を示すフローチャートである。
【図９】実施の形態１において、通信データを受信した際の管理装置の動作を示すフローチャートである。
【図１０】実施の形態１において、空調機本体の運転状態が停止である場合における管理装置の動作を示すフローチャートである。
【図１１】実施の形態１において、空調機本体の運転状態がセットバックである場合における管理装置の動作を示すフローチャートである。
【図１２】実施の形態２における通信装置の構成を概略的に示すブロック図である。
【図１３】実施の形態２において、通常モードでの通信装置の動作を示すフローチャートである。
【図１４】実施の形態２において、通信データを受信した際の管理装置の動作を示すフローチャートである。
【図１５】実施の形態３に係る空調システムの構成を概略的に示すブロック図である。
【図１６】実施の形態３における空調機の構成を概略的に示すブロック図である。
【図１７】実施の形態３における管理装置の構成を概略的に示すブロック図である。
【発明を実施するための形態】
【００１１】
実施の形態１．
図１は、実施の形態１に係る空調システム１００の構成を概略的に示すブロック図である。
空調システム１００は、通信装置１１０と、管理装置１３０と、空調機１５０とを備える。空調システム１００は、照明１０１と、空調機１５０とを連動させるシステムである。
【００１２】
図２は、空調システム１００の設置例を示す概略図である。
図２に示されているように、オフィス等の大空間のフロアの天井に、照明１０１及び空調機１５０が取り付けられている。
空調機１５０には、空調機１５０用のリモートコントローラである管理装置１３０が接続されている。
【００１３】
そのフロアには、通信装置１１０が配置されている。通信装置１１０は、照明１０１から発せられる照明光により発電し、起動電力を確保する仕組みになっている。
通信装置１１０は、無線通信機能を有しており、識別情報として自身に割り当てられた通信装置識別情報であるＩＤを送信ＩＤとして含む通信データを定期的に管理装置１３０に送信する。
管理装置１３０は、通信装置１１０から送られてきた送信ＩＤが、受信可能ＩＤであるか否かを判断する。通信装置１１０から送られてきた送信ＩＤが受信可能ＩＤである場合には、管理装置１３０は、通信装置１１０から通信データが送られてきている状況に応じて、空調機１５０を制御する。
空調機１５０は、管理装置１３０からの制御に従って動作する。
【００１４】
図３は、通信装置１１０の構成を概略的に示すブロック図である。
通信装置１１０は、電源部１１１と、無線送信部１１４と、記憶部１１５と、通信制御部１１６とを備える。
【００１５】
電源部１１１は、照明１０１からの光を受けて発電し、通信装置１１０に電気を供給する。
電源部１１１は、発電部１１２と、蓄電部１１３とを備える。
発電部１１２は、光を受けて発電する。例えば、発電部１１２は、照明１０１からの光を電気エネルギーに変換することで、発電を行う。
蓄電部１１３は、発電部１１２により発電された電気を蓄積し、蓄積された電気を通信装置１１０の各部に供給する。
【００１６】
無線送信部１１４は、発電部１１２で発電された電気の供給を受けて、管理装置１３０に無線で送信を行う無線通信インターフェースである。例えば、無線送信部１１４は、通信制御部１１６から与えられたＩＤを送信ＩＤとして含む通信データを、無線で管理装置１３０に送信する。ここで、無線通信では、Ｂｌｕｅｔｏｏｔｈ（登録商標）等が用いられる。
記憶部１１５は、通信装置１１０での処理に必要な情報を記憶する。例えば、記憶部１１５は、通信装置１１０に割り当てられたＩＤと、通信データの送信時刻とを記憶する。
【００１７】
通信制御部１１６は、通信装置１１０での処理を制御する。ここで、通信装置１１０は、スリープモード、省電力モード又は通常モードで動作し、通信制御部１１６は、各モードでの処理を制御する。
通信制御部１１６は、計時部１１７と、主制御部１１８とを備える。
【００１８】
計時部１１７は、スリープモードにおいて、予め定められた時間である起動時間の計時を行う。スリープモードは、電源部１１１において、発電部１１２が発電を行い、蓄電部１１３に電気を蓄積しているモードである。スリープモードでは、無線送信部１１４、記憶部１１５及び主制御部１１８は、動作を停止し、電力の消費を行わないものとする。
そして、計時部１１７は、スリープモードにおいて、起動時間の計時が終了すると、主制御部１１８を省電力モードで起動させる。
【００１９】
主制御部１１８は、通信装置１１０における省電力モード及び通常モードでの処理を制御する。
例えば、主制御部１１８は、スリープモードにおいて、計時部１１７から起動指示を受けると、起動して、通信装置１１０を省電力モードにする。省電力モードでは、記憶部１１５は動作しているが、無線送信部１１４は動作を停止し、電力の消費を行わないものとする。
【００２０】
省電力モードにおいて、主制御部１１８は、蓄電部１１３に蓄積された電気量である蓄電量が予め定められた閾値以上であるか否かを判断する。
具体的には、主制御部１１８は、蓄電部１１３の電圧を計測する。そして、主制御部１１８は、蓄電部１１３の電圧が予め定められた電圧以上である場合には、蓄電量が閾値以上になったと判断する。蓄電量が閾値以上になったと判断した場合、主制御部１１８は、無線送信部１１４を起動させて、通信装置１１０を通常モードにする。
一方、主制御部１１８は、蓄電部１１３の電圧が予め定められた電圧よりも低い場合には、蓄電量が閾値未満であると判断する。蓄電量が閾値未満であると判断した場合、主制御部１１８は、計時部１１７に起動時間の計時を開始させて、主制御部１１８の動作を停止し、電力を消費しないようにして、通信装置１１０をスリープモードにする。
【００２１】
通常モードにおいて、主制御部１１８は、記憶部１１５に記憶されているＩＤを読み出して、指定されたプロトコルに基づいて、そのＩＤを送信ＩＤとして含む通信データを生成する。そして、主制御部１１８は、その通信データを無線送信部１１４に送り、無線送信部１１４に管理装置１３０へ送信させる。無線送信部１１４より出力される無線電波は、非常に短時間である。これは、蓄電部１１３で蓄積できる電気が微小であるためである。無線送信部１１４から送信を行うと、蓄電部１１３に蓄積された電気はほぼなくなる。このため、主制御部１１８は、計時部１１７に起動時間の計時を開始させて、無線送信部１１４の動作を停止させ、主制御部１１８の動作を停止し、電力を消費しないようにして、通信装置１１０をスリープモードにして、再度、電気の蓄積を行わせる。
【００２２】
以上に記載された通信制御部１１６の一部又は全部は、例えば、図４（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００２３】
また、通信制御部１１６の一部又は全部は、例えば、図４（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
なお、記憶部１１５は、不揮発性のメモリにより構成することができる。
【００２４】
図５は、管理装置１３０の構成を概略的に示すブロック図である。
管理装置１３０は、無線受信部１３１と、記憶部１３２と、ユニット通信部１３３と、管理制御部１３４とを備える。
【００２５】
無線受信部１３１は、通信装置１１０からの通信データを無線で受信する無線通信インターフェースである。例えば、無線受信部１３１は、通信装置１１０からの通信データを受信する。受信された通信データは、管理制御部１３４に与えられる。
【００２６】
記憶部１３２は、管理装置１３０での処理に必要な情報を記憶する。例えば、記憶部１３２は、管理装置１３０で受信可能な通信装置１１０のＩＤである受信可能ＩＤを記憶する。受信可能ＩＤは、受信可能識別情報ともいう。
【００２７】
ユニット通信部１３３は、空調機１５０と通信を行う通信インターフェースである。実施の形態１では、管理装置１３０と空調機１５０とは、有線で接続されているものとするが、無線で接続されていてもよい。
【００２８】
管理制御部１３４は、管理装置１３０での処理を制御する。
例えば、管理制御部１３４は、ユニット通信部１３３を介して、空調機１５０と通信を行うことで、空調機１５０を制御する。
【００２９】
また、管理制御部１３４は、無線受信部１３１から与えられた通信データに含まれている送信ＩＤが、記憶部１３２に記憶されている受信可能ＩＤと一致するか否かを判断する。
送信ＩＤと受信可能ＩＤとが一致しなかった場合には、管理制御部１３４は、無線受信部１３１で受信された通信データを破棄する。
送信ＩＤと受信可能ＩＤとが一致した場合には、管理制御部１３４は、無線受信部１３１で受信された通信データの受信時刻を記憶部１３２に記憶しておく。
【００３０】
管理制御部１３４は、記憶部１３２に記憶されている受信時刻を参照することで、空調機１５０の後述する空調機本体１５２の運転状態が停止となっている際に、最後に通信データを受信した時刻からの経過時間が、予め定められた閾値としての移行時間以上となった場合には、空調機１５０の後述する空調機本体１５２の運転状態をセットバックに移行させる。言い換えると、管理制御部１３４は、空調機本体１５２の運転状態が停止となっている際に、無線受信部１３１が、移行時間、受信可能ＩＤと一致する送信ＩＤを含んでいる通信データを受信しない場合に、ユニット通信部１３３を介して、空調機本体１５２の運転状態をセットバックにする運転指令を空調機１５０に送る。
【００３１】
以上に記載された管理制御部１３４の一部又は全部は、例えば、図４（Ａ）に示されているように、メモリ１０と、プロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
また、管理制御部１３４の一部又は全部は、例えば、図４（Ｂ）に示されているように、処理回路１２で構成することもできる。
なお、記憶部１３２は、不揮発性のメモリにより構成することができる。
【００３２】
図６は、空調機１５０の構成を概略的に示すブロック図である。
空調機１５０は、装置通信部１５１と、空調機本体１５２と、運転制御部１５３とを備える。
装置通信部１５１は、管理装置１３０と通信を行う通信インターフェースである。
【００３３】
空調機本体１５２は、空気の調和を行う。空調機本体１５２は、例えば、モータ、圧縮機、凝縮器、膨張弁及び蒸発器等を備える。また、空調機本体１５２は、空気の温度を検出する検出部も備えるものとする。
運転制御部１５３は、空調機１５０の各部を制御する。例えば、運転制御部１５３は、装置通信部１５１を介して、管理装置１３０からの運転指令を受け取り、受け取られた運転指令に従って、空調機本体１５２を制御する。具体的には、運転制御部１５３は、空調機本体１５２の運転状態、動作モード、設定温度、風量及び風向等を制御する。実施の形態１においては、動作モードは、暖房、冷房、ドライ及び送風である。
【００３４】
実施の形態１においては、運転状態は、運転、停止及びセットバックである。
運転は、空調機本体１５２により空気の調和を行い、空調機１５０が設置されている空間における温度が設定された温度となるようにする状態である。
停止は、空調機本体１５２により空気の調和が行われていない状態である。
セットバックは、空調機本体１５２により空気の調和を行い、空調機１５０が設置されている空間における温度が予め定められた限界温度を超えないようにする状態である。
【００３５】
ここで、セットバックは、設備保全を目的として、空調機１５０の運転を緩める状態である。実施の形態１においては、限界温度として、上限温度及び下限温度が定められており、セットバックでは、空調機本体１５２が空気の調和を行うことにより、空調機１５０が設置されている空間の温度である環境温度が、上限温度及び下限温度を超えないように、言い換えると、環境温度が、上限温度と、下限温度との間に収まるようにされる。
【００３６】
通常、上限温度は、空調機本体１５２の動作モードを冷房にする必要のある温度であり、下限温度は、空調機本体１５２の動作モードを暖房にする必要のある温度である。このため、運転制御部１５３は、環境温度が上限温度と下限温度との間に収まるように、環境温度に応じて、空調機本体１５２の動作モードを変える。
なお、実施の形態１では、限界温度として、上限温度及び下限温度が設定されているが、これらの一方のみが設定されていてもよい。なお、環境温度については、空調機本体１５２に備えられている検出部（図示せず）で検出されればよい。
【００３７】
運転制御部１５３は、空調機本体１５２の運転状態が停止となっている際に、予め定められた移行時間、通信装置１１０が通信データを送信しない場合に、運転状態をセットバックにする。
また、運転制御部１５３は、運転状態がセットバックとなっている際に、予め定められた復帰時間内に、通信装置１１０が複数の通信データを送信した場合に、運転状態を停止にする。
【００３８】
以上に記載された運転制御部１５３の一部又は全部は、例えば、図４（Ａ）に示されているように、メモリ１０と、プロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
また、運転制御部１５３の一部又は全部は、例えば、図４（Ｂ）に示されているように、処理回路１２で構成することもできる。
【００３９】
図７は、スリープモード及び省電力モードにおける通信装置１１０の動作を示すフローチャートである。
図７に示されているフローチャートでは、まず、通信装置１１０はスリープモードであるものとする。
計時部１１７は、予め定められた起動時間が経過したか否かを判断する（Ｓ１０）。起動時間が経過した場合には、処理はステップＳ１１に進む。
【００４０】
ステップＳ１１では、主制御部１１８及び記憶部１１５が起動して、通信装置１１０は、省電力モードに移行する。ここで、省電力モードでは、主制御部１１８は、非常に低いクロックで動作して、無線送信部１１４の機能をすべて停止するモードである。例えば、省電力モードでは、消費電力を、通常モードの１００分の１程度に低下させることが望ましい。
【００４１】
主制御部１１８は、蓄電部１１３の蓄電量が通常モードに移行するのに十分かどうかを判断するために、蓄電部１１３の蓄電量を計測する（Ｓ１２）。ここでは、主制御部１１８は、蓄電部１１３に蓄えられた電気の電圧を計測する。
そして、主制御部１１８は、蓄電量が閾値以上であるか否かを判断する（Ｓ１３）。例えば、主制御部１１８は、ステップＳ１２で計測された電圧が閾値となる電圧以上であるか否かにより、この判断を行えばよい。蓄電量が閾値以上である場合（Ｓ１３でＹｅｓ）には、処理はステップＳ１４に進み、蓄電量が閾値未満である場合（Ｓ１３でＮｏ）には、処理はステップＳ１６に進む。
【００４２】
ステップＳ１４では、主制御部１１８は、記憶部１１５に記憶されている通信データの送信時刻を参照することで、前回の通信データの送信時刻から、予め定められた時間である送信時間が経過しているか否かを判断する。送信時間が経過している場合（Ｓ１４でＹｅｓ）には、処理はステップＳ１５に進み、送信時間が経過していない場合（Ｓ１４でＮｏ）には、処理はステップＳ１６に進む。
【００４３】
ステップＳ１５では、主制御部１１８は、無線送信部１１４を起動することにより、通信装置１１０は、通常モードに移行する。
一方、ステップＳ１６では、主制御部１１８は、主制御部１１８及び記憶部１１５の機能を停止することで、通信装置１１０をスリープモードに移行させる。なお、主制御部１１８は、主制御部１１８の機能を停止する前に、計時部１１７に、起動時間を設定して、計時を開始させる。
【００４４】
ここで、ステップＳ１０における起動時間は、ステップＳ１４における送信時間よりも短い時間であることが望ましい。例えば、起動時間は、１秒程度、送信時間は、１０秒程度であることが望ましい。
【００４５】
図８は、通常モードでの通信装置１１０の動作を示すフローチャートである。
まず、通常モードに移行すると、主制御部１１８は、記憶部１１５に記憶されているＩＤを読み出して、指定されたプロトコルに基づいて、そのＩＤを送信ＩＤとして含む通信データを生成する（Ｓ２０）。主制御部１１８は、生成された通信データを無線送信部１１４に与える。
【００４６】
無線送信部１１４は、主制御部１１８から与えられた通信データを、無線で管理装置１３０へ送信する（Ｓ２１）。
【００４７】
そして、主制御部１１８は、主制御部１１８、記憶部１１５及び無線送信部１１４の機能を停止することで、通信装置１１０をスリープモードに移行させる（Ｓ２２）。なお、主制御部１１８は、主制御部１１８の機能を停止する前に、計時部１１７に、起動時間を設定して、計時を開始させる。
【００４８】
以上のように、図７及び図８に示されているフローチャートによれば、照明１０１から光を受けている限り、通信装置１１０は、定期的に、通信データを管理装置１３０に送信する。
【００４９】
図９は、通信データを受信した際の管理装置１３０の動作を示すフローチャートである。
管理装置１３０では、無線受信部１３１が、無線で通信データを受信する（Ｓ３０）。受信された通信データは、管理制御部１３４に与えられる。なお、無線受信部１３１は、通信装置１１０からの通信データであるか否かに拘わらず、通信データを受信する。
【００５０】
管理制御部１３４は、無線受信部１３１から通信データを受け取ると、その通信データに含まれている送信ＩＤが、記憶部１３２に記憶されている受信可能ＩＤと一致するか否かを判断する（Ｓ３１）。送信ＩＤが受信可能ＩＤと一致する場合（Ｓ３１でＹｅｓ）には、処理はステップＳ３２に進み、送信ＩＤが受信可能ＩＤと一致しない場合（Ｓ３１でＮｏ）には、処理はステップＳ３３に進む。
【００５１】
ステップＳ３２では、管理制御部１３４は、無線受信部１３１で受信された通信データの受信時刻を記憶部１３２に記憶させる。
一方、ステップＳ３３では、管理制御部１３４は、受け取った通信データを破棄する。
【００５２】
図１０は、空調機本体１５２の運転状態が停止である場合に、管理装置１３０が行う動作を示すフローチャートである。
図７及び図８に示されているフローチャートにより、通信装置１１０からは、定期的に無線で通信データが送信される。しかし、照明１０１が消灯した場合、通信装置１１０の発電部１１２は発電しなくなるため、通信装置１１０からの通信データの送信は途絶える。
ここで、図１０に示されているフローチャートは、空調機本体１５２の運転状態が停止である場合に行われる。
【００５３】
まず、管理装置１３０の管理制御部１３４は、予め定められた確認時間が経過したか否かを判断する（Ｓ４０）。予め定められた確認時間が経過した場合（Ｓ４０でＹｅｓ）には、処理はステップＳ４１に進む。
【００５４】
ステップＳ４１では、管理制御部１３４は、記憶部１３２に記憶されている、通信データの受信時刻を確認することで、通信データを前回受信した時刻からの経過時間を算出する。
【００５５】
そして、管理制御部１３４は、算出された経過時間が閾値である移行時間以上であるか否かを判断する（Ｓ４２）。経過時間が移行時間以上である場合（Ｓ４２でＹｅｓ）には、処理はステップＳ４３に進み。経過時間が移行時間未満である場合（Ｓ４２でＮｏ）には、処理はステップＳ４４に進む。
【００５６】
ステップＳ４３では、管理制御部１３４は、通信データの受信が途絶えたため、空調機本体１５２の運転状態をセットバックに切り替える。例えば、管理制御部１３４は、ユニット通信部１３３を介して、空調機１５０にセットバックの運転指令を送ることで、空調機本体１５２の運転状態をセットバックに切り替えさせる。そして、管理制御部１３４は、再び確認時間を設定して、確認時間の計時を行う。
【００５７】
ステップＳ４４では、管理制御部１３４は、通信データの受信は途絶えていないため、空調機本体１５２の運転状態をそのまま継続する。言い換えると、ここでは、管理制御部１３４は、空調機１５０に運転指令を送らない。そして、管理制御部１３４は、再び確認時間を設定して、確認時間の計時を行う。
【００５８】
ここで、ステップＳ４０の確認時間は、ステップＳ４２における移行時間よりも短い時間であることが望ましい。例えば、確認時間は、１分程度、移行時間は、１０分程度であることが望ましい。
【００５９】
図１１は、空調機本体１５２の運転状態がセットバックである場合に、管理装置１３０が行う動作を示すフローチャートである。
【００６０】
まず、管理装置１３０の管理制御部１３４は、予め定められた確認時間が経過したか否かを判断する（Ｓ５０）。予め定められた確認時間が経過した場合（Ｓ５０でＹｅｓ）には、処理はステップＳ５１に進む。
【００６１】
ステップＳ５１では、管理制御部１３４は、記憶部１３２に記憶されている、通信データの受信時刻を確認することで、運転状態がセットバックになった後、予め定められた時間である復帰時間内に、複数の通信データを受信しているか否かを判断する（Ｓ５１）。復帰時間内に複数の通信データが受信されている場合（Ｓ５１でＹｅｓ）には、処理はステップＳ５２に進み、復帰時間内に複数の通信データが受信されていない場合（Ｓ５１でＮｏ）には、処理はステップＳ５３に進む。
【００６２】
ステップＳ５２では、管理制御部１３４は、通信データの送信が再開されたため、空調機本体１５２の運転状態を停止に切り替える。具体的には、管理制御部１３４は、ユニット通信部１３３を介して、空調機１５０に停止の運転指令を送ることで、空調機本体１５２の運転状態を停止に切り替えさせる。そして、管理制御部１３４は、再び確認時間を設定して、確認時間の計時を行う。
【００６３】
ステップＳ５３では、管理制御部１３４は、通信データの送信が再開されていないため、空調機本体１５２の運転状態をセットバックのまま継続する。言い換えると、ここでは、管理制御部１３４は、空調機１５０に運転指令を送らない。そして、管理制御部１３４は、再び確認時間を設定して、確認時間の計時を行う。
【００６４】
なお、ステップＳ５１の復帰時間は、ステップＳ５０の確認時間以下の時間であり、図７のステップＳ１４における送信時間以上の時間であることが望ましい。例えば、確認時間が１分で、送信時間が１０秒である場合には、復帰時間は、３０秒であることが望ましい。
【００６５】
実施の形態２．
図１に示されているように、実施の形態２に係る空調システム２００は、通信装置２１０と、管理装置２３０と、空調機２５０とを備える。
実施の形態２に係る空調システム２００も、照明１０１と、空調機２５０とを連動させるシステムである。
【００６６】
図１２は、実施の形態２における通信装置２１０の構成を概略的に示すブロック図である。
通信装置２１０は、電源部１１１と、無線送信部１１４と、記憶部１１５と、通信制御部２１６と、検出部２１９とを備える。
実施の形態２における電源部１１１、無線送信部１１４及び記憶部１１５は、実施の形態１における電源部１１１、無線送信部１１４及び記憶部１１５と同様である。
【００６７】
検出部２１９は、物理量を検出する。
例えば、検出部２１９は、通信制御部２１６からの指示に応じて、通信装置２１０が設置されている空間に関する物理量を検出する。実施の形態２では、検出部２１９は、温度を検出する温度検出部としての温度センサであるものとする。具体的には、検出部２１９には、空気の対流を作るための空気穴が設けられており、空気が少しずつ流れるようになっている。このため、検出部２１９は、通信装置２１０が配置された場所における温度を検出することができる。
【００６８】
通信制御部２１６は、通信装置２１０での処理を制御する。ここで、実施の形態２においても、通信装置２１０は、スリープモード、省電力モード又は通常モードで動作し、通信制御部２１６は、各モードでの処理を制御する。
通信制御部２１６は、計時部１１７と、主制御部２１８とを備える。
実施の形態２における計時部１１７は、実施の形態１における計時部１１７と同様である。
【００６９】
主制御部２１８は、通信装置２１０における省電力モード及び通常モードでの処理を制御する。
例えば、主制御部２１８は、スリープモードにおいて、計時部１１７から起動指示を受けると、起動して、通信装置２１０を省電力モードにする。省電力モードでは、記憶部１１５は動作しているが、無線送信部１１４及び検出部２１９は動作を停止し、電力を消費しないものとする。
【００７０】
省電力モードにおいて、主制御部２１８は、実施の形態１と同様に、蓄電部１１３の蓄電量を計測する。そして、主制御部２１８は、蓄電部１１３の蓄電量が閾値以上であると判断し、かつ、前回の通信データの送信時刻から予め定められた送信時間が経過している場合に、無線送信部１１４及び検出部２１９を起動させて、通信装置２１０を通常モードにする。
【００７１】
一方、主制御部２１８は、蓄電部１１３の蓄電量が閾値未満である場合、又は、前回の通信データの送信時刻から予め定められた送信時間が経過していない場合には、計時部１１７に起動時間の計時を開始させるとともに、主制御部２１８の動作を停止し、電力を消費しないようにして、通信装置２１０をスリープモードにする。
【００７２】
通常モードにおいて、主制御部２１８は、検出部２１９に指示することで、温度を検出させる。そして、主制御部２１８は、記憶部１１５に記憶されているＩＤを読み出して、指定されたプロトコルに基づいて、検出部２１９で検出された温度を示す温度情報と、読み出されたＩＤである送信ＩＤとを含む通信データを生成する。温度情報は、検出部２１９で検出された物理量を示す情報である。
【００７３】
主制御部２１８は、生成された通信データを無線送信部１１４に送り、無線送信部１１４に管理装置１３０へ送信させる。そして、主制御部２１８は、計時部１１７に起動時間の計時を開始させて、無線送信部１１４及び検出部２１９の動作を停止させ、主制御部２１８の動作を停止し、電力を消費しないようにして、通信装置２１０をスリープモードにして、再度、電気の蓄積を行わせる。
【００７４】
図５に示されているように、実施の形態２における管理装置２３０は、無線受信部１３１と、記憶部１３２と、ユニット通信部１３３と、管理制御部２３４とを備える。
実施の形態２における無線受信部１３１、記憶部１３２及びユニット通信部１３３は、実施の形態１における無線受信部１３１、記憶部１３２及びユニット通信部１３３と同様である。
【００７５】
管理制御部２３４は、管理装置２３０での処理を制御する。
実施の形態２における管理制御部２３４は、実施の形態１における管理制御部１３４と同様の処理を行うほか、無線受信部１３１が受信した通信データに含まれている温度情報を読み出して、読み出された温度情報を、ユニット通信部１３３に、空調機２５０へ送信させる。
【００７６】
図６に示されているように、実施の形態２における空調機２５０は、装置通信部１５１と、空調機本体１５２と、運転制御部２５３とを備える。
実施の形態２における装置通信部１５１及び空調機本体１５２は、実施の形態１における装置通信部１５１及び空調機本体１５２と同様である。
【００７７】
運転制御部２５３は、空調機２５０での処理を制御する。
実施の形態２における運転制御部２５３は、実施の形態１における運転制御部１５３と同様の処理を行うほか、装置通信部１５１が受信した温度情報で示される温度に基づいて、空調機本体１５２を制御する。例えば、運転制御部２５３は、空調機本体１５２の運転状態が運転である場合に、温度情報で示される温度が設定温度となるように、空調機本体１５２を制御する。
【００７８】
図１３は、通常モードでの通信装置２１０の動作を示すフローチャートである。
なお、通信装置２１０が省電力モードから通常モードに移行する際に、主制御部２１８は、無線送信部１１４とともに検出部２１９についても起動させるものとする。
【００７９】
まず、通常モードに移行すると、主制御部２１８は、検出部２１９に温度の検出を指示する（Ｓ６０）。
このような指示を受けて、検出部２１９は、温度を検出する（Ｓ６１）。具体的には、検出部２１９は、電圧計測回路を有効化し、温度素子の出力する電圧を高精度に計測することで、温度を計測する。そして、検出部２１９は、そのような計測を複数回実施して、計測された温度の平均値を、検出された温度として、主制御部２１８に通知する。
【００８０】
主制御部２１８は、記憶部１１５に記憶されているＩＤを読み出して、指定されたプロトコルに基づいて、読み出されたＩＤである送信ＩＤと、検出部２１９からの温度を示す温度情報とを含む通信データを生成する（Ｓ６２）。主制御部２１８は、生成された通信データを無線送信部１１４に与える。
【００８１】
無線送信部１１４は、主制御部２１８から与えられた通信データを、無線で管理装置２３０へ送信する（Ｓ６３）。
【００８２】
そして、主制御部２１８は、主制御部２１８、記憶部１１５、無線送信部１１４及び検出部２１９の機能を停止することで、通信装置２１０をスリープモードに移行させる（Ｓ６４）。なお、主制御部２１８は、主制御部２１８の機能を停止にする前に、計時部１１７に、起動時間を設定して、計時を開始させる。
【００８３】
以上のように、実施の形態２では、照明１０１から光を受けている限り、通信装置２１０は、定期的に、温度情報を含む通信データを管理装置２３０に送信する。
【００８４】
図１４は、実施の形態２において、通信データを受信した際の管理装置２３０の動作を示すフローチャートである。
管理装置２３０では、無線受信部１３１が、無線で通信データを受信する（Ｓ７０）。受信された通信データは、管理制御部２３４に与えられる。なお、無線受信部１３１は、通信装置２１０からの通信データであるか否かに拘わらず、通信データを受信する。
【００８５】
管理制御部２３４は、無線受信部１３１から通信データを受け取ると、その通信データに含まれている送信ＩＤが、記憶部１３２に記憶されている受信可能ＩＤと一致するか否かを判断する（Ｓ７１）。送信ＩＤが受信可能ＩＤと一致する場合（Ｓ７１でＹｅｓ）には、処理はステップＳ７２に進み、送信ＩＤが受信可能ＩＤと一致しない場合（Ｓ７１でＮｏ）には、処理はステップＳ７４に進む。
【００８６】
ステップＳ７２では、管理制御部２３４は、無線受信部１３１で受信された通信データの受信時刻を記憶部１３２に記憶させる。
そして、管理制御部２３４は、通信データに含まれている温度情報を読み出して、読み出された温度情報をユニット通信部１３３に与え、ユニット通信部１３３にそれを空調機２５０へ送信させる（Ｓ７３）。
一方、ステップＳ７４では、管理制御部２３４は、受け取った通信データを破棄する。
【００８７】
以上のように、実施の形態２によれば、実施の形態１と同様の効果が得られるとともに、通信装置２１０が設置された環境に応じて、空調機２５０を制御することができる。
なお、通信装置２１０から温度情報が送られてきていない場合には、空調機２５０は、例えば、空調機本体１５２に備えられている検出部（図示せず）で検出された温度に基づいて、動作すればよい。
【００８８】
実施の形態３．
図１５は、実施の形態３に係る空調システム３００の構成を概略的に示すブロック図である。
空調システム３００は、通信装置２１０と、管理装置３３０と、空調機３５０とを備える。実施の形態３においても、空調システム３００は、照明１０１と、空調機３５０とを連動させるシステムである。
なお、実施の形態３における通信装置２１０は、実施の形態２における通信装置２１０と同様である。
【００８９】
図１５に示されているように、実施の形態３に係る空調システム３００では、通信装置２１０から送信された通信データは、空調機３５０で受信されて、受信された通信データは、空調機３５０から管理装置３３０に転送される。以下、詳述する。
【００９０】
図１６は、実施の形態３における空調機３５０の構成を概略的に示すブロック図である。
空調機３５０は、装置通信部１５１と、空調機本体１５２と、運転制御部３５３と、無線受信部３５４とを備える。
実施の形態３における装置通信部１５１及び空調機本体１５２は、実施の形態１における装置通信部１５１及び空調機本体１５２と同様である。
【００９１】
無線受信部３５４は、通信装置２１０からの通信データを無線で受信する無線通信インターフェースである。なお、無線受信部３５４は、受信した通信データを運転制御部３５３に与える。
【００９２】
運転制御部３５３は、空調機３５０での処理を制御する。
実施の形態３における運転制御部３５３は、実施の形態２における運転制御部２５３と同様の処理を行う他、無線受信部３５４から与えられた通信データを装置通信部１５１に与え、装置通信部１５１に、それを管理装置３３０へ送信させる。
なお、実施の形態２では、運転制御部２５３は、装置通信部１５１から温度情報を取得しているが、実施の形態３では、運転制御部３５３は、無線受信部３５４から与えられた通信データに含まれている温度情報を取得して、空調機本体１５２の制御に利用する。
【００９３】
図１７は、管理装置３３０の構成を概略的に示すブロック図である。
管理装置３３０は、記憶部１３２と、ユニット通信部１３３と、管理制御部３３４とを備える。
実施の形態３における記憶部１３２及びユニット通信部１３３は、実施の形態１における記憶部１３２及びユニット通信部１３３と同様である。
【００９４】
管理制御部３３４は、管理装置３３０での処理を制御する。
実施の形態３における管理制御部３３４は、実施の形態２における管理制御部２３４と同様の処理を行う。但し、実施の形態２における管理制御部２３４は、図５に示されている無線受信部１３１から与えられる通信データに含まれている温度情報を取得しているが、実施の形態３における管理制御部３３４は、ユニット通信部１３３から与えられる通信データに含まれている温度情報を取得する。このため、実施の形態３では、図５に示されている無線受信部１３１は備えられておらず、管理制御部３３４は、ユニット通信部１３３を介して、温度情報を空調機３５０に送らなくてよい。
【００９５】
以上のように、実施の形態３では、通信装置２１０が空調機３５０と通信を行うため、空調機３５０と管理装置３３０とが離れて配置されていても、空調機３５０に近い位置に通信装置２１０を配置することができる。このため、通信装置２１０で、空調機３５０に近い環境における物理量を検出することができる。
【００９６】
なお、実施の形態３における通信装置２１０は、実施の形態２における通信装置２１０と同様であるが、実施の形態３は、このような例に限定されない。例えば、実施の形態３における空調システム３００において、実施の形態１における通信装置１１０が用いられてもよい。このような場合、空調機３５０の運転制御部３５３及び管理装置３３０の管理制御部３３４は、通信装置２１０からの温度情報に関する処理を行わなくてよくなる。
【００９７】
以上のように、実施の形態１〜３によれば、照明１０１からの光に連動して、空調機１５０の空調機本体１５２の運転状態を切り替えることができる。ここで、照明１０１が消灯した場合に、空調機本体１５２の運転状態をセットバックとすることで、空調機１５０〜３５０の設置されている空間における設備を保全することができる。
【００９８】
運転状態がセットバックになっている場合に、空調機本体１５２が冷房を行う必要のある温度を上限温度とし、空調機本体１５２が暖房を行う必要のある温度を下限温度としておくことで、空調機１５０〜３５０の設置されている空間における設備を確実に保全することができる。
【００９９】
照明１０１が点灯された場合に、空調機本体１５２の運転状態をセットバックから停止に切り替えることで、ユーザの判断により空調機１５０〜３５０を運転することができるようになる。
【０１００】
通信装置１１０、２１０からの通信データを管理装置１３０、２３０で受信することで、その通信データに応じて、管理装置１３０、２３０が空調機１５０、２５０を容易に管理することができる。
【０１０１】
通信装置２１０をユーザの近くに配置し、通信装置２１０から、物理量を検出して、その検出された物理量を、管理装置２３０を介して空調機２５０に送ることで、空調機２５０のユーザに近い空間における物理量に応じて、空調機本体１５２を制御することができる。
【０１０２】
通信装置２１０で検出される物理量を温度とすることで、ユーザに近い空間の温度に応じて、空調機本体１５２を制御することができるようになる。
【０１０３】
通信装置１１０、２１０から送信される通信データに含まれている送信ＩＤが、管理装置１３０〜３３０に予め記憶されている受信可能ＩＤと一致するか否かを判断することで、対応する通信装置１１０、２１０とは異なる通信装置１１０、２１０からの通信データを、管理装置１３０〜３３０で無視することができる。
【０１０４】
通信装置２１０からの通信データを空調機３５０で受信することで、管理装置１３０、２３０が、通信装置２１０と離れた位置に配置されていたとしても、その通信データに応じて、管理装置１３０、２３０が空調機３５０を容易に管理することができる。また、通信装置２１０で、ユーザ及び空調機３５０に近い位置において、物理用を検出することができる。
【０１０５】
発電部１１２で発電された電気を蓄積する蓄電部１１３を設けることで、発電部１１２の発電量が微小であっても、長い時間をかけて蓄電し、通信装置１１０を通常モードで起動するに足る電力を得ることができる。
【０１０６】
以上に記載された実施の形態１〜３では、管理装置１３０〜３３０は、通信データに含まれている送信ＩＤが受信可能ＩＤと一致するか否かを判断しているが、実施の形態１〜３は、このような例に限定されない。通信データに送信ＩＤが含まれていなくてもよい。この場合には、管理制御部１２３〜３２３は、送信ＩＤと受信可能ＩＤとが一致するか否かを判断する必要がない。このため、管理制御部１２３〜３２３は、空調機１５０〜３５０の運転状態が停止となっている際に、無線受信部１３１又はユニット通信部１３３が、移行時間、通信データを受信しない場合に、ユニット通信部１３３を介して、空調機１５０〜３５０の運転状態をセットバックにする運転指令を空調機１５０〜３５０に送る。
【符号の説明】
【０１０７】
１００，２００，３００  空調システム、  １１０，２１０  通信装置、  １１１  電源部、  １１２  発電部、  １１３  蓄電部、  １１４  無線送信部、  １１５  記憶部、  １１６，２１６  通信制御部、  １１７  計時部、  １１８，２１８  主制御部、  ２１９  検出部、  １３０，２３０，３３０  管理装置、  １３１  無線受信部、  １３２  記憶部、  １３３  ユニット通信部、  １３４，２３４，３３４  管理制御部、  １５０，２５０，３５０  空調機、  １５１  装置通信部、  １５２  空調機本体、  １５３，２５３，３５３  運転制御部、  ３５４  無線受信部。
【図１】
2020170415.tif 000003
【図２】
2020170415.tif 000004
【図３】
2020170415.tif 000005
【図４】
2020170415.tif 000006
【図５】
2020170415.tif 000007
【図６】
2020170415.tif 000008
【図７】
2020170415.tif 000009
【図８】
2020170415.tif 000010
【図９】
2020170415.tif 000011
【図１０】
2020170415.tif 000012
【図１１】
2020170415.tif 000013
【図１２】
2020170415.tif 000014
【図１３】
2020170415.tif 000015
【図１４】
2020170415.tif 000016
【図１５】
2020170415.tif 000017
【図１６】
2020170415.tif 000018
【図１７】
2020170415.tif 000019
【国際調査報告】
2020170415.tif 000020
2020170415.tif 000021
2020170415.tif 000022
2020170415.tif 000023